(57)【要約】【課題】メガネの使用が不要となったとき、帽子に収納部を設けることでメガネを収納することができ、メガネの紛失、落下、盗難などを防止することができるメガネ収納帽子を提供する。【解決手段】メガネ収納帽子１００は、帽子１０とメガネ収納部２０を有しメガネ収納部２０にメガネが収納される。メガネ収納部２０は、上部に開口を有するポケット部２１と、クラウン１０ａの側面部に設けられている先セル収納部２２を有している。ポケット部２１は、メガネのテンプルを通すように形成されているテンプル用開口部２１ａを有している。メガネをポケット部２１に収納したときに、メガネのテンプルをポケット部２１からテンプル用開口部２１ａを介して外部に出すことができ、また、両方の先セルを、先セル収納部２２に収納することができ、メガネをメガネ収納帽子１００にしっかりと安定させて収納することができる。【選択図】図１
0003229737.tif 000002
【実用新案登録請求の範囲】
【請求項１】
帽子と、前記帽子と一体的になるように設けられたメガネ収納部を有し、前記メガネ収納部にメガネが収納されるように形成されているメガネ収納帽子であって、
前記帽子は、クラウンと、前記クラウンと一体的に形成されているバイザーを有しており、
前記メガネ収納部は、ポケット部と、先セル収納部を有しており、
前記ポケット部は、前記クラウンの前面に前記クラウンと一体的になるように設けられており、前記メガネを収納するように袋状に形成されており、前記袋状の上部に前記メガネを出し入れする開口を有しており、
前記ポケット部は、前記メガネのテンプルを通すように形成されているテンプル用開口部が設けられており、
前記先セル収納部は、前記クラウンの側面部に設けられており、前記メガネの先セルを収納するように形成されていることを特徴とするメガネ収納帽子。
【請求項２】
前記帽子は、前記クラウンの中央部に天ボタンが設けられていることを特徴とする請求項１に記載のメガネ収納帽子。
【請求項３】
前記ポケット部は、前記テンプル用開口部を覆うように形成されている覆い部を有することを特徴とする請求項１または請求項２に記載のメガネ収納帽子。
【考案の詳細な説明】
【技術分野】
【０００１】
本考案は、メガネ収納帽子に関する。
【背景技術】
【０００２】
帽子は頭に被るものであり機能的に乏しいという問題点もあり帽子の改良に関するものも開発されている。例えば、帽子は頭に被る人の頭部を包む碗状に形成された本体部の前端には、ほぼ水平状に突出して鍔部が形成され鍔部側の本体部の前面にはファスナーを介し開閉可能にポケット部が一体形成されていることにより帽子を被った状態でファスナーを介しポケット部を開閉させてポケット部内に小物を容易に収納させることができ、また、ポケット部内に本体部および鍔部が折り畳み収納可能に構成されていることにより使用しない時にはポケット部内に本体部および鍔部を折り畳んでコンパクトに収納させることができるものが開示されている（特許文献参照）。
【先行技術文献】
【特許文献】
【０００３】
【特許文献１】特開平８−２７６１２号公報
【考案の概要】
【考案が解決しようとする課題】
【０００４】
野球選手、ゴルフプレーヤーなどにおいて帽子のバイザーの上にサングラスを掛けていることが散見される。これはファッション性もあると考えられるが、サングラスが不必要となったときに、帽子のバイザーの上に、サングラスを装着している状態であると考えられる。このような状態においては、ちょっとした動きでもサングラスが外れやすく、外れやすいことにより、サングラスの紛失、落下、盗難などがおこりやすいという問題があった。
【０００５】
本考案は、こうした点に鑑みてなされたものであり、帽子とサングラスなどのメガネを使用している場合において、メガネの使用が不要となったときに、帽子に収納部を設けることでメガネを収納することができメガネの紛失、落下、盗難などを防止することができるメガネ収納帽子を提供することである。
【課題を解決するための手段】
【０００６】
上記課題を解決するために、本考案に係るメガネ収納帽子は、帽子と、前記帽子と一体的になるように設けられたメガネ収納部を有し、前記メガネ収納部にメガネが収納されるように形成されているメガネ収納帽子であって、前記帽子は、クラウンと、前記クラウンと一体的に形成されているバイザーを有しており、前記メガネ収納部は、ポケット部と、先セル収納部を有しており、前記ポケット部は、前記クラウンの前面に前記クラウンと一体的になるように設けられており、前記メガネを収納するように袋状に形成されており、前記袋状の上部に前記メガネを出し入れする開口を有しており、前記ポケット部は、前記メガネのテンプルを通すように形成されているテンプル用開口部が設けられており、前記先セル収納部は、前記クラウンの側面部に設けられており、前記メガネの先セルを収納するように形成されていることを特徴とする。
【０００７】
本考案に係るメガネ収納帽子の態様について、前記帽子は、前記クラウンの中央部に天ボタンが設けられていることが好ましい。
【０００８】
本考案に係るメガネ収納帽子の態様について、前記ポケット部は、前記テンプル用開口部を覆うように形成されている覆い部を有することが好ましい。
【考案の効果】
【０００９】
本考案によれば、帽子とサングラスなどのメガネを使用している場合において、メガネの使用が不要となったときに、帽子にメガネを収納する収納部を設けることで、メガネの紛失、落下、盗難などを防止することができるメガネ収納帽子を提供することがきる。特に、ゴルフなどのスポーツのプレー中にサングラスを帽子に収納することができることにより、サングラスの収納に困ることなく、またストレスもなくプレーに集中することができる。
【図面の簡単な説明】
【００１０】
【図１】実施形態のメガネ収納帽子の一例を示す模式図である。
【図２】実施形態のメガネ収納帽子の使用の一例を示す模式図である。
【図３】実施形態のメガネ収納帽子の一例を示す参考図である。
【考案を実施するための形態】
【００１１】
以下、本考案のメガネ収納帽子について図１から図３を用いて説明する。図１は、実施形態のメガネ収納帽子１００の構成を説明する模式図であり、図２は、実施形態のメガネ収納帽子１００にメガネが収納されている状態を示す模式図であり、また、図３は、実施形態のメガネ収納帽子１００の具体的な形状の一例を示す参考図である。なお、これらの図は本考案の一例であり、これらに限定されるものではなく適宜最適なものにすることができる。
【００１２】
本考案の実施形態であるメガネ収納帽子１００は、帽子１０と、帽子１０と一体的になるように設けられたメガネ収納部２０を有しており、メガネ収納部２０にメガネが収納されるように形成されている。
【００１３】
帽子１０は、クラウン１０ａと、クラウン１０ａと一体的に形成されているバイザー１０ｂを有している。この例において、帽子１０は、天ボタン１０ｃを有しているが、これは一例であり、本考案の対象となる帽子１０は、このような構成に限定されずあらゆる帽子に対応できるものである。
【００１４】
メガネ収納部２０は、ポケット部２１と、先セル収納部２２を有している。ポケット部２１は、クラウン１０ａの前面にクラウン１０ａと一体的になるように設けられており、メガネを収納するように袋状に形成されている。ポケット部２１は、袋状の上部にメガネを出し入れする開口を有している。
【００１５】
ポケット部２１は、メガネのテンプルを通すように形成されているテンプル用開口部２１ａが設けられている。また、先セル収納部２２は、クラウン１０ａの側面部、つまり両側の側面の２か所に設けられており、メガネの両方の先セルを収納するように形成されている。なお、テンプル用開口部２１ａは、ポケット部２１の開口と一体的になるように形成されている開口であり、また、先セル収納部２２は。クラウン１０ａに切り込みを入れた構成、クラウン１０ａに袋状のものを設けた構成などあるが、これらに限定されず適宜最適な構成にすることができる。
【００１６】
メガネ収納帽子１００は、上記のとおりテンプル用開口部２１ａと先セル収納部２２を有していることにより、メガネをポケット部２１に収納したときに、メガネのテンプルをポケット部２１からテンプル用開口部２１ａを介して外部に出すことができ、また、両方の先セルを、先セル収納部２２に収納することができる。このようなメガネ収納帽子１００の構成により、メガネをメガネ収納帽子１００に、しっかりと安定させて収納することができる。
【００１７】
帽子１０は、この例において、クラウン１０ａの中央部、つまり上部の中心部分に天ボタンを有しており、また、ポケット部２１は、テンプル用開口部２１ａを覆うように形成されている覆い部２１ｂを有している。なお、これらの構成は、必須ではなく適宜設ければよい。
【００１８】
上記の構成を有するメガネ収納帽子１００は、サングラスが不必要となったときに、帽子のバイザーの上に、サングラスを装着した場合に、ちょっとした動きでもサングラスが外れやすく、サングラスの紛失、落下、盗難などがおこりやすいという問題を解決する考案である。すなわち、メガネ収納帽子１００は、メガネの使用が不要となったときに、帽子にメガネを収納することができ、メガネの紛失、落下、盗難などを防止することができる優れた効果を有するものでる。特に、メガネ収納帽子１００は、ゴルフなどのスポーツのプレー中にサングラスを帽子に収納することができることにより、サングラスの収納に困ることなく、ストレスもなく、プレーに集中することができるという顕著な効果を有している。
【００１９】
以上、本考案の有する特徴及び優れた点を上記実施形態に記載したが、本考案は、本願の実用新案請求の範囲で使用されている言葉を広く一般的な意味に拡張して実施することができる。また、本考案のメガネ収納帽子は、大きさ、形状、素材の種類、厚さ、重さなどについては多様な実施形態が可能であり、それらについて本実施形態と異なる形態による実施は、本考案の技術的範囲に含まれる。
【符号の説明】
【００２０】
１００  メガネ収納帽子
１０    帽子
１０ａ  クラウン
１０ｂ  バイザー
１０ｃ  天ボタン
２０    メガネ収納部
２１    ポケット部
２１ａ  テンプル用開口部
２１ｂ  覆い部
２２    先セル収納部
【図１】
0003229737.tif 000003
【図２】
0003229737.tif 000004
【図３】
0003229737.tif 000005